(57)【要約】【課題】印刷内容によって両面印刷、片面印刷を使い分けることができるプリンタシステムを提供する。【解決手段】印刷データを作成するホスト５と印刷データを出力するプリンタ１が接続され、プリンタ１は両面印刷機能を有するプリンタシステムにおいて、指定したページ範囲のみ両面印刷し、それ以外は片面印刷する可変両面印刷が行われる。【選択図】        図１
2004268527.tif 000002
【特許請求の範囲】
【請求項１】
印刷データを作成するホストと印刷データを出力するプリンタが接続され、プリンタは両面印刷機能を有するプリンタシステムにおいて、指定したページ範囲のみ両面印刷し、それ以外は片面印刷する可変両面印刷が行われることを特徴とするプリンタシステム。
【請求項２】
請求項１記載のプリンタシステムにおいて、指定する両面印刷範囲をコマンドで設定し、用紙方向、印刷方向、両面綴じ方向を考慮して可変両面印刷が行われることを特徴とするプリンタシステム。
【請求項３】
請求項２記載のプリンタシステムにおいて、片面印刷から両面印刷へ、および両面印刷から片面印刷へ変わるそれぞれ最初のページの下欄に印刷ページ構成が変わるマークを自動印字することを特徴とするプリンタシステム。
【請求項４】
請求項１記載のプリンタシステムにおいて、指定した条件に該当するページを両面、それ以外は片面印刷する、条件付けの可変両面印刷が行われることを特徴とするプリンタシステム。
【請求項５】
請求項１記載のプリンタシステムにおいて、両面印刷は排紙先を区別して出力することを特徴とするプリンタシステム。
【請求項６】
請求項１記載のプリンタシステムにおいて、ページ書式で設定している改行数が極端に少ない場合は、前ページの続きと判断して両面印刷範囲とすることを特徴とするプリンタシステム。
【請求項７】
請求項１記載のプリンタシステムにおいて、ページ領域の右マージンおよび下マージンを超える回数が前のページと比較して極端に多発する場合は両面印刷範囲として判定し、それ以外の場合は片面印刷に戻ることを特徴とするプリンタシステム。
【発明の詳細な説明】
【０００１】
【発明の属する技術分野】
本発明は、印刷データを作成するホストと印刷データを出力するプリンタが接続され、プリンタは両面印刷機能を有するプリンタシステムに関するもので、特に、両面印刷制御技術に関するものである。
【０００２】
【従来の技術】
プリンタにおける両面印刷モードにおいて、（１）印刷用紙の表面と裏面に夫々印刷される画像データのページサイズが異なる場合は当該用紙については表面に印刷し且つ裏面は白紙とし、次の用紙の表面に対して前記サイズが異なる裏面の画像データが割り当てられる、（２）奇数ページ構成のファイルの場合は最終ページの裏面は白紙を作成する、といった各技術が知られている。なお、この種の技術に関連して、例えば特許文献１及び２が存在する。
【特許文献１】特開平３−２７４３４号公報
【特許文献２】特開平６−１２２２３６号公報
【０００３】
【発明が解決しようとする課題】
従来はジョブをファイルの単位としていたので、両面印刷または片面印刷など固定的な指定を行うだけであった。従って、印刷内容によって両面印刷、片面印刷を使い分ける（例えば添付資料などは両面で、本文は片面で）といった利便性の高い印刷を行なうことができなかった。
本発明は、印刷内容によって両面印刷、片面印刷を使い分けることができるプリンタシステムを提供することを目的とする。
【０００４】
【課題を解決するための手段】
上記目的を龍性するために、請求項１記載の発明は、印刷データを作成するホストと印刷データを出力するプリンタが接続され、プリンタは両面印刷機能を有するプリンタシステムにおいて、指定したページ範囲のみ両面印刷し、それ以外は片面印刷する可変両面印刷が行われるプリンタシステムを最も主要な特徴とする。
請求項２記載の発明は、請求項１記載のプリンタシステムにおいて、指定する両面印刷範囲をコマンドで設定し、用紙方向、印刷方向、両面綴じ方向を考慮して可変両面印刷が行われるプリンタシステムを主要な特徴とする。
請求項３記載の発明は、請求項２記載のプリンタシステムにおいて、片面印刷から両面印刷へ、および両面印刷から片面印刷へ変わるそれぞれ最初のページの下欄に印刷ページ構成が変わるマークを自動印字するプリンタシステムを主要な特徴とする。
請求項４記載の発明は、請求項１記載のプリンタシステムにおいて、指定した条件に該当するページを両面、それ以外は片面印刷する、条件付けの可変両面印刷が行われるプリンタシステムを主要な特徴とする。
請求項５記載の発明は、請求項１記載のプリンタシステムにおいて、両面印刷は排紙先を区別して出力するプリンタシステムを主要な特徴とする。
請求項６記載の発明は、請求項１記載のプリンタシステムにおいて、ページ書式で設定している改行数が極端に少ない場合は、前ページの続きと判断して両面印刷範囲とするプリンタシステムを主要な特徴とする。
請求項７記載の発明は、請求項１記載のプリンタシステムにおいて、ページ領域の右マージンおよび下マージンを超える回数が前のページと比較して極端に多発する場合は両面印刷範囲として判定し、それ以外の場合は片面印刷に戻るプリンタシシステムを主要な特徴とする。
【０００５】
【発明の実施の形態】
以下、図面により本発明の実施の形態を詳細に説明する。
図１は本発明の実施の形態に係るプリンタシステムの機能ブロック図である。プリンタ１は、コントローラ２、操作パネル３、プリンタエンジン４を備えている。操作パネル３は、プリンタ１のステータス表示およびモード、印刷条件を変更できるスイッチ部である。エンジン４は、コントローラ２からのビデオ信号と制御情報に基づいて感光体上に静電作像し給紙部より転写紙を給紙して画像を形成する。
コントローラ２は、その時設定されている制御モードおよびホスト５からの制御コードに従ってホスト５からの印字データをビデオデータに変換してプリンタエンジン４へ出力する制御機構の総称であり、以下のようなモジュールで構成される。
ホストＩ／Ｆ１１は、ホスト５からプリンタ１への制御信号およびデータを受信し、またプリンタ１からホスト５へステータス信号を送信するインターフェースである。プログラムＲＯＭ１２は、コントローラ２の制御プログラムが格納される。フォントＲＯＭ１３は、印字の時に使用される数種の書体を保持しているメモリである。
パネルＩ／Ｆ１４は、操作パネル３との間でデータを送受信するインターフェースである。ＣＰＵ１５は、プログラムＲＯＭ１２のプログラム内容に従ってデータ処理をする。ＲＡＭ１６は、ＣＰＵ１５のワーク領域、ホスト５からのデータ受信バッファ、また処理後のイメージ展開領域に使用される。
ＮＶ−ＲＡＭ１７は、電源のＯＮ／ＯＦＦに関わらずデータを保持できる不揮発性メモリである。エンジンＩ／Ｆ１８は、コントローラ２からプリンタエンジン４への制御信号を送信し、またプリンタエンジン４からコントローラ２へのステータス信号を受信するインターフェースである。ネットワークＩ／Ｆ１９は、ＬＡＮもしくはインターネット接続のためのインターフェースである。
ホスト５からのプリント命令またはホスト５から受け取ったデータが１ページ分を超えた時、コントローラ２はまず、中間コードをビデオデータに変換し、それが終了したら、エンジンＩ／Ｆ１８を通してプリンタエンジン４にプリントスタートの命令を出す。以上のような一連の流れで、ホスト５からの印字データがプリンタエンジン４を介して印字される。
【０００６】
図２は本発明の第１実施例を示す可変両面印刷手順の説明図であり、（１）はフローチャート、（２）は概念図である。第１実施例では、指定したページ範囲のみ両面印刷し、それ以外は片面印刷する可変両面印刷が行われる。この例では８ページから１０ページまでが両面印刷される。
図２（１）のステップ１では、ホスト５から可変両面印刷の範囲である８〜１０ページを設定し、各ページ８〜１０に対して綴じ方向、印刷方向が片面印刷ページに揃うような両面印刷を実行する（Ｓ２、３）。両面印刷範囲の印刷が終了すると（Ｓ２、Ｎｏ）、次はステップ４にてファイルが終了が否かを判断し、終了の場合には全印刷処理を完了し、終了でない場合には片面印刷を更に実行し、ファイルが終了であれば全印刷処理を完了し、ファイルが終了でなければステップ２に戻る（Ｓ５、６）。
図３は本発明の第２実施例を示す可変両面印刷の説明図であり、（１）はフローチャート、（２）は概念図である。第２実施例では、指定する両面印刷範囲をコマンドで設定し、用紙方向、印刷方向、両面綴じ方向を考慮して可変両面印刷が行われる。この例では７ページから１０ページまでが両面印刷され、あるいは全ページが両面印刷される。
図３（１）において、両面印刷を行う場合であって両面印刷範囲の設定が存在する場合には（Ｓ１１、１２）、７〜１０ページに対して可変両面印刷を行う（Ｓ１３、１４）。ステップ１２において、両面印刷範囲の設定が存在しない場合には、従来と同様に全ページに両面印刷を行う（Ｓ１５）。
【０００７】
図４は本発明の第３実施例を示す可変両面印刷の説明図であり、（１）はフローチャート、（２）は概念図である。第３実施例では、第２実施例において、片面印刷から両面印刷へ、および両面印刷から片面印刷へ変わるそれぞれ最初のページの下欄に印刷ページ構成が変わるマークを自動印字する（Ｓ２１〜Ｓ２５、Ｓ２６〜Ｓ２９）。
これによれば、最初のページに印字スタイルの内容、或いは印字スタイルの変更を示すマークを印刷するので、ユーザにとって判別が容易となる。
図５は本発明の第４実施例を示す可変両面印刷の説明図であり、（１）はフローチャート、（２）は概念図である。第４実施例では、第１実施例において、指定した条件に該当するページを両面、それ以外は片面印刷する、条件付けの可変両面印刷が行われる。
即ち図５（１）において、可変両面印刷モードである場合に両面印刷の検索条件の設定（指定した条件に該当するページを両面印刷、それ以外は片面印刷する設定）が存在する場合（Ｓ３１〜Ｓ３２）、上記検索条件に該当する際にはページを外部記憶装置に保存し、片面印刷を指定されたページについて片面印刷を行い（Ｓ３３〜Ｓ３５）、ファイル終了でない場合には保存したページについて両面印刷を実施する（Ｓ３６、Ｓ３７）。
検索結果は両面印刷で集約し、それ以外の画像データは片面印刷するので、用紙を節減しながら検索して、同時に印刷も行うことができる。
図６は本発明の第５実施例を示す可変両面印刷の説明図であり、（１）はフローチャート、（２）は概念図である。第５実施例では、第１実施例において、両面印刷の検索条件の設定が複数（Ａ、Ｂ）存在することを前提として、各条件に基づいてなされた両面印刷の結果を排紙先を区別して出力する（Ｓ４１〜Ｓ４９）。
【０００８】
図７は本発明の第６実施例を示す可変両面印刷の説明図であり、（１）はフローチャート、（２）は概念図である。第６実施例では、第１実施例において、ページ書式で設定している改行数が極端に少ない場合は、前ページの続きと判断して両面印刷範囲とする。つまり、前のページの続きが次のページに及んだ場合に、その次のページは余白部分が多いと考え、そのページは両面印刷の対象とすることで印刷作業を効率化できる。
即ち、図７（１）では、可変両面印刷を行う場合にページ処理を開始して改行数をカウントし、ページの排紙を実行する（Ｓ５１、５２、５３）。次いで、ページ書式で設定している改行数とカウントした改行数とを比較してカウント数が極端に少ない場合には、連続するページと判断して両面印刷を行う（Ｓ５４、５５）。他の片面印刷データについては片面印刷を行う（Ｓ５７）。
図８は本発明の第７実施例を示す可変両面印刷の説明図であり、（１）はフローチャート、（２）は概念図である。第７実施例では、第１実施例において、ページ領域の右マージンおよび下マージンを超える回数が前のページと比較して極端に多発する場合は両面印刷範囲として判定し、それ以外の場合は片面印刷に戻る。
図８（１）において、可変両面印刷を行う場合にページ処理を開始してマージン超数をカウントし、ページの排紙を実行する（Ｓ６１〜６３）。次いで、同一の行又は列のマージン超数が多発するか否かを判断し（Ｓ６４）、多発する場合には両面印刷を実行する（Ｓ６５）。その後、片面印刷用画像データについては片面印刷を行う（Ｓ６７）。
これによれば、１つのファイル内において、座標が正確に取得できずに同一な行や列でマージン超える回数が多発するページは不正なページとして両面印刷で抽出し、それ以外は片面印刷で正常印刷するので、すべてデータをクリアするより効率的に自動判別して印刷することができる。
【０００９】
【発明の効果】
以上説明したように、請求項１によれば、ページ毎に両面か片面か可変印刷するので、本文は片面、資料は両面と言ったバリエーション印刷することができる。
請求項２によれば、予めファイル構成が判っている場合など、容易にドライバからの設定を行うことができる。
請求項３によれば、ページ毎に両面か片面か可変印刷するので、印字スタイルの識別をマーク印字することで、ユーザーにとつて判り易いものとなる。
請求項４によれば、検索結果は両面印刷で集約し、それ以外は片面印刷するので用紙を節減しながら検索して、同時に印刷も行うことができる。
請求項５によれば、請求項４において、検索条件が複数の場合、それぞれの結果毎に排紙先を分けることで効率化を図ることができる。
請求項６によれば、前のページの続きが次ページにおよんだ場合に、その次ページは余白部分が多いと考え、そのページは両面印刷の対象とすることで効率的な印刷ができる。
請求項７によれば、１つのファイル内において、座標が正確に取得できずに同一な行や列でマージン超える回数が多発するページは不正なページとして両面印刷で抽出し、それ以外は片面印刷で正常印刷するので、すべてデータをクリアするより効率的に自動判別して印刷することができる。
【図面の簡単な説明】
【図１】本発明の実施の形態に係るプリンタシステムの機能ブロック図である。
【図２】本発明の第１実施例を示す可変両面印刷の説明図である。
【図３】本発明の第２実施例を示す可変両面印刷の説明図である。
【図４】本発明の第３実施例を示す可変両面印刷の説明図である。
【図５】本発明の第４実施例を示す可変両面印刷の説明図である。
【図６】本発明の第５実施例を示す可変両面印刷の説明図である。
【図７】本発明の第６実施例を示す可変両面印刷の説明図である。
【図８】本発明の第７実施例を示す可変両面印刷の説明図である。
【符号の説明】
１    プリンタ
２    コントローラ
３    操作パネル
４    プリンタエンジン
５    ホスト
１５  ＣＰＵ
【図１】
2004268527.tif 000003
【図２】
2004268527.tif 000004
【図３】
2004268527.tif 000005
【図４】
2004268527.tif 000006
【図５】
2004268527.tif 000007
【図６】
2004268527.tif 000008
【図７】
2004268527.tif 000009
【図８】
2004268527.tif 000010